(57)【要約】【課題】  吊り具に支持具を支持具取付用ボルトを用いて取り付けて吊下するにあたり、支持具取付用ボルトが不用意に抜け落ちんとするのを阻止する。【解決手段】  吊り具本体の側板部に穿設されている支持具取付用ボルト挿通孔が、内径φ１と深さＤ１とを有していて円筒内面Ｓ１を形成している孔部Ｈ１と、内径φ１から内径φ１よりも小さな内径φ３に変化している内径φ２と深さＤ２とを有していて裁頭円錐筒内面Ｓ２を形成している孔部Ｈ２と、内径φ３と深さＤ３とを有していて円筒内面Ｓ３を形成している孔部Ｈ３との順次配列からなり、側板部の孔部Ｈ２及びＨ３を形成している部がボルト係止用突出部として内面Ｓ１から突出し、孔部Ｈ２の深さＤ２及び孔部Ｈ３の内径φ３及び深さＤ３が、支持具取付用ボルトのねじの相隣る山間にボルト係止用突出部を配している状態が得られているのに十分な値を有する。【選択図】図１
0003102249.tif 000002
【実用新案登録請求の範囲】
【請求項１】
上板部とその左側縁及び右側縁からそれらと一体にそれぞれ下方に互いに近接対向するように延長している左側板部及び右側板部とを有する吊り具本体と、ナット本体とその下端外周上にそれと一体に形成されている鍔板とを有する吊下用鍔板付ナットとを有し、上記吊り具本体の上板部にその左右方向の中央部において上記吊下用鍔板付ナットのナット本体が下側から挿通される吊下用鍔板付ナット挿通孔が穿設され、上記左側板部及び右側板部に、それらの近接対向する位置において支持具取付用ボルトが挿通される左ボルト挿通孔及び右ボルト挿通孔がそれぞれ穿設されているとともに、上記吊り具本体の吊下用鍔板付ナット挿通孔内に下側から挿通された上記吊下用鍔板付ナットの鍔板を受ける左切り起し片及び右切り起し片がそれぞれ形成されている吊り具において、
上記吊り具本体の上記左側板部及び右側板部が上記支持具取付用ボルトのねじのピッチよりも厚い板厚を有し、
上記左ボルト挿通孔及び右ボルト挿通孔のそれぞれが、第１、第２及び第３の孔部Ｈ１、Ｈ２及びＨ３の順次の配列からなり、
上記第１の孔部Ｈ１が、第１の内径φ１と第１の深さＤ１とを有していて円筒内面Ｓ１を形成し、
上記第３の孔部Ｈ３が、上記第１の内径φ１よりも小さな第３の内径φ３と上記第１の深さＤ１よりも浅い第３の深さとを有していて円筒内面Ｓ３を形成し、
上記第２の孔部Ｈ２が、上記第１の孔部Ｈ１側の第１の内径φ１から上記第３の孔部Ｈ３側の第３の内径φ３まで連続的に変化している第２の内径φ２と上記第１の深さＤ１よりも浅い第２の深さＤ２とを有していて裁頭円錐面Ｓ２を形成し、
上記左側板部の上記左ボルト挿通孔の第１の孔部Ｈ３が上記右側板部側であり、上記右側板部の上記右ボルト挿通孔の第１の孔部Ｈ３が上記左側板部側であり、
上記左側板部の上記左ボルト挿通孔の上記第２及び第３の孔部Ｈ２及びＨ３を形成している上記裁頭円錐筒内面Ｓ２及び円筒内面Ｓ３側の部が、上記左ボルト挿通孔の上記第１の孔部Ｈ１の円筒内面Ｓ１からみて、上記左ボルト挿通孔の中心軸側に、上記支持具取付用ボルトを係止するための左ボルト係止用突出部として突出し、
上記左ボルト挿通孔の上記第２の孔部Ｈ２の第２の深さＤ２、及び上記第３の孔部Ｈ３の第３の内径φ３及び第３の深さＤ３が、支持具取付用ボルトの中心軸と左ボルト挿通孔の中心軸とが平行である状態で上記支持具取付用ボルトのねじの山の頂きを上記左ボルト挿通孔の上記第１の孔部Ｈ１の円筒内面Ｓ１に当接させている状態で、上記支持具取付用ボルトのねじの相隣る山間に上記左ボルト係止用突出部を配している状態が得られているのに十分な値を有し、
上記右側板部の上記右ボルト挿通孔の上記第２及び第３の孔部Ｈ２及びＨ３を形成している上記裁頭円錐筒内面Ｓ２及び円筒内面Ｓ３側の部が、上記右ボルト挿通孔の上記第１の孔部Ｈ１の円筒内面Ｓ１からみて、上記右ボルト挿通孔の中心軸側に、上記支持具取付用ボルトを係止するための右ボルト係止用突出部として突出し、
上記右ボルト挿通孔の上記第２の孔部Ｈ２の第２の深さＤ２、及び上記第３の孔部Ｈ３の第３の内径φ３及び第３の深さＤ３が、支持具取付用ボルトの中心軸と右ボルト挿通孔の中心軸とが平行である状態で上記支持具取付用ボルトのねじの山の頂きを上記右ボルト挿通孔の上記第１の孔部Ｈ１の円筒内面Ｓ１に当接させている状態で、上記支持具取付用ボルトのねじの相隣る山間に上記右ボルト係止用突出部を配している状態が得られているのに十分な値を有することを特徴とする吊り具。
【考案の詳細な説明】
【技術分野】
【０００１】
本考案は、配管支持具などの支持具を固定部に吊下するのに用いる吊り具に関する。
【従来の技術】
【０００２】
従来、配管支持具などの支持具を固定部に吊下するのに用いる吊り具として、実用新案登録第３０７７０５７号公報に示されているような、且つ図６に全体として、符号１で示すような、（ａ）上板部１２と、その左側縁及び右側縁からそれらと一体にそれぞれ下方に互いに近接対向するように延長している左側板部１３Ｌ及び右側板部１３Ｒとを有する吊り具本体１１と、（ｂ）ナット本体１６と、その下端外周上にそれと一体に形成されている鍔板１７とを有する吊下用鍔板付ナット１５とを有し、そして、吊り具本体１１の上板部１２に、その左右方向の中央部において、吊下用鍔板付ナット１５のナット本体１６が下側から挿通される吊下用鍔板付ナット挿通孔１２１が穿設され、また、吊り具本体１１の左側板部１３Ｌ及び右側板部１３Ｒに、それらの近接対向する位置において、図７に示すような頭部３１とねじ部３２とを有する支持具取付用ボルト３のねじ部３２が挿通される左ボルト挿通孔１３２Ｌ及び右ボルト挿通孔１３２Ｒがそれぞれ穿設されているとともに、吊り具本体１１の吊下用鍔板付ナット挿通孔１２１内に下側から挿通された吊下用鍔板付ナット１５の鍔板１７を受ける左切り起し片１３１Ｌ及び右切り起し片１３１Ｒが形成されている、という吊り具が提案されている。
【背景技術】
【０００３】
このような構成を有する従来の吊り具１によれば、その吊下用鍔板付きナット１５のナット本体１６を、図９に示すように、固定部Ｇから下方に延長している吊下用ボルトＨの遊端に螺着させれば、吊り具本体１１が、その上板部１２をその吊下用鍔板付きナット挿通孔１２１のまわりにおいて吊下用鍔板付きナット１５の鍔板１７に受けさせた状態で、吊下用鍔板付きナット１５及び吊下用ボルトＨを介して、固定部Ｇに吊下されている状態になる。
【０００４】
また、図８に示すような、一端において螺番機構２１を介して断面円形の環が形成されるように互に回動自在に連結されている断面半円形の一対の左半環部２２Ｌ及び右半環部２２Ｒと、それら左半環部２２Ｌ及び右半環部２２Ｒの他端部から、それらとそれぞれ一体に、左半環部２２Ｌ及び右半環部２２Ｒを断面円形の環が形成されるように回動した場合に互に対向するように外方に延長している、左取付板部２４Ｌ及び右取付板部２４Ｒとを有し、それら左取付板部２４Ｌ及び右取付板部２４Ｒが、左半環部２２Ｌ及び右半環部２２Ｒを断面円形の環が形成されるように回動してそれら左取付板部２４Ｌ及び右取付板部２４Ｒを相対向させた状態でみて、互に相対向している位置にそれぞれ穿設されている、図７に示す支持具取付用ボルト３の頭部３１は挿通し得ないがねじ部３２を挿通し得る大きさの左ボルト挿通孔２６Ｌ及び右ボルト挿通孔２６Ｒを有する支持具２が予め用意されているとして、上述したように、吊り具本体１１が、固定部Ｇに吊下されている状態から、またはその前に、図９に示すように、支持具２の左半環部２２Ｌ及び右半環部２２Ｒを、断面円形の環が点線図示の配管本体ａとその外被ｂとからなる配管Ｋを支持している状態で形成されるように且つそれによって支持具２の左半環部２２Ｌ及び右半環部２２Ｒからそれぞれ延長している左取付板部２４Ｌ及び右取付板部２４Ｒが対向するように、回動し、その状態で、支持具２を、その左半環部２２Ｌ及び右半環部２２Ｒからそれぞれ延長している左取付板部２４Ｌ及び右取付板部２４Ｒが吊り具１の吊り具本体１１の左側板部１３Ｌ及び右側板部１３Ｒを挟むように且つ左取付板部２４Ｌ及び右取付板部２４Ｒにそれぞれ穿設している左ボルト挿通孔２６Ｌ及び右ボルト挿通孔２６Ｒが吊り具１の吊り具本体１１の左側板部１３Ｌ及び右側板部１３Ｒにそれぞれ穿設している左ボルト挿通孔１３２Ｌ及び右ボルト挿通孔１３２Ｒと一致するように、位置決めし、その状態で、図７に示す支持具取付用ボルト３のねじ部３２を、支持具２の左取付板部２４Ｌ及び右取付板部２４Ｒの左ボルト挿通孔２６Ｌ及び右ボルト挿通孔２６Ｒに、吊り具１の吊り具本体１１の左側板部１３Ｌ及び右側板部１３Ｒの左ボルト挿通孔１３２Ｌ及び右ボルト挿通孔１３２Ｒを介して挿通させる。
【０００５】
次で、そのように、支持具２の左取付板部２４Ｌ及び右取付板部２４Ｒの左ボルト挿通孔２６Ｌ及び右ボルト挿通孔２６Ｒに吊り具１の吊り具本体１１の左側板部１３Ｌ及び右側板部１３Ｒの左ボルト挿通孔１３２Ｌ及び右ボルト挿通孔１３２Ｒを介して挿通させた支持具取付用ボルト３のねじ部３２に、その遊端から、図７に示すナット４を螺着し、そのナット４を回動することによって、支持具取付用ボルト３の頭部３１とナット４との間に、支持具２の左取付板部２４Ｌ及び右取付板部２４Ｒを、吊り具１の吊り具本体１１の左側板部１３Ｌ及び右側板部１３Ｒとともに締め付ける。
【０００６】
しかるときは、配管Ｋを支持している支持具２を、固定部Ｇに、支持具取付用ボルト３、吊り具１及び吊下用ボルトＨを介して、吊下させることができる。
【０００７】
以上のことから、図６に示す従来の吊り具１によれば、その吊り具１を、固定部Ｇから下方に延長している吊下用ボルトＨの遊端に吊下させ、次にまたはその前に、その吊り具１に、配管Ｋを支持している支持具２を、支持具取付用ボルト３を介して吊下させることができ、従って、配管Ｋを支持している支持具２を、固定部Ｇに吊下させることができる。
【特許文献１】実用新案登録第３０７７０５７号公報
【考案の開示】
【考案が解決しようとする課題】
【０００８】
図６に示す従来の吊り具１を用いて、上述したようにして、配管Ｋを支持している支持具２を固定部Ｇに吊下させるにあたり、支持具取付用ボルト３のねじ部３２を、支持具２の左取付板部２４Ｌ及び右取付板部２４Ｒの左ボルト挿通孔１６Ｌ及び右ボルト挿通孔１６Ｒに、吊り具１の吊り具本体１１の左側板部１３Ｌ及び右側板部１３Ｒの左ボルト挿通孔１３２Ｌ及び右ボルト挿通孔１３２Ｒを介して挿通する際、及び支持具取付用ボルト３のねじ部３２を、支持具２の左取付板部２４Ｌ及び右取付板部２４Ｒの左ボルト挿通孔２６Ｌ及び右ボルト挿通孔２６Ｒに、吊り具１の左側板部１３Ｌ及び右側板部１３Ｒの左ボルト挿通孔１３２Ｌ及び右ボルト挿通孔１３２Ｒを介して挿通し、次で、その支持具取付用ボルト３のねじ部３２に、その遊端から、ナット４を螺着する際に、支持具取付用ボルト３が、支持具２の左取付板部２４Ｌ及び右取付板部２４Ｒの左ボルト挿通孔２６Ｌ及び右ボルト挿通孔２６Ｒに吊り具１の吊り具本体１１の左側板部１３Ｌ及び右側板部１３Ｒの左ボルト挿通孔１３２Ｌ及び右ボルト挿通孔１３２Ｒを介して挿通されている状態からでも、図９に示すように、頭部３１を下にして不用意に抜け落ちんとする。
【０００９】
ところで、上述した従来の吊り具１は、支持具取付用ボルト３のねじ部３２を、支持具２の左取付板部２４Ｌ及び右取付板部２４Ｒの左ボルト挿通孔１６Ｌ及び右ボルト挿通孔１６Ｒに、吊り具１の吊り具本体１１の左側板部１３Ｌ及び右側板部１３Ｒの左ボルト挿通孔１３２Ｌ及び右ボルト挿通孔１３２Ｒを介して挿通する際、及び支持具取付用ボルト３のねじ部３２を、支持具２の左取付板部２４Ｌ及び右取付板部２４Ｒの左ボルト挿通孔２６Ｌ及び右ボルト挿通孔２６Ｒに、吊り具１の吊り具本体１１の左側板部１３Ｌ及び右側板部１３Ｒの左ボルト挿通孔１３２Ｌ及び右ボルト挿通孔１３２Ｒを介して挿通し、次で、その支持具取付用ボルト３のねじ部３２に、その遊端から、ナット４を螺着する際に、支持具取付用ボルト３が支持具２の左取付板部２４Ｌ及び右取付板部２４Ｒの左ボルト挿通孔２６Ｌ及び右ボルト挿通孔２６Ｒに吊り具１の吊り具本体１１の左側板部１３Ｌ及び右側板部１３Ｒの左ボルト挿通孔１３２Ｌ及び右ボルト挿通孔１３２Ｒを介して挿通されている状態から抜け落ちんとするのを阻止するための有効な手段を有していない。
【００１０】
このため、上述した従来の吊り具１の場合、それを用いて支持具取付用ボルト３のねじ部３２を、支持具２の左取付板部２４Ｌ及び右取付板部２４Ｒの左ボルト挿通孔１６Ｌ及び右ボルト挿通孔１６Ｒに、吊り具１の吊り具本体１１の左側板部１３Ｌ及び右側板部１３Ｒの左ボルト挿通孔１３２Ｌ及び右ボルト挿通孔１３２Ｒを介して挿通する際、及び支持具取付用ボルト３のねじ部３２を、支持具２の左取付板部２４Ｌ及び右取付板部２４Ｒの左ボルト挿通孔２６Ｌ及び右ボルト挿通孔２６Ｒに、吊り具１の左側板部１３Ｌ及び右側板部１３Ｒの左ボルト挿通孔１３２Ｌ及び右ボルト挿通孔１３２Ｒを介して挿通し、次で、その支持具取付用ボルト３のねじ部３２に、その遊端から、ナット４を螺着する際に、支持具取付用ボルト３を支持具２の左取付板部２４Ｌ及び右取付板部２４Ｒの左ボルト挿通孔２６Ｌ及び右ボルト挿通孔２６Ｒに吊り具１の吊り具本体１１の左側板部１３Ｌ及び右側板部１３Ｒの左ボルト挿通孔１３２Ｌ及び右ボルト挿通孔１３２Ｒを介して挿通されている状態からでも不用意に抜け落ちさせる、というおそれを有していた。
よって、本考案は、上述したおそれを有効に回避し得る、新規な吊り具を提案せんとするものである。
【課題を解決するための手段】
【００１１】
本考案による吊り具は、（ａ）上板部とその左側縁及び右側縁からそれらと一体にそれぞれ下方に互いに近接対向するように延長している左側板部及び右側板部とを有する吊り具本体と、ナット本体とその下端外周上にそれと一体に形成されている鍔板とを有する吊下用鍔板付ナットとを有し、上記吊り具本体の上板部にその左右方向の中央部において上記吊下用鍔板付ナットのナット本体が下側から挿通される吊下用鍔板付ナット挿通孔が穿設され、上記左側板部及び右側板部に、それらの近接対向する位置において支持具取付用ボルトが挿通される左ボルト挿通孔及び右ボルト挿通孔がそれぞれ穿設されているとともに、上記吊り具本体の吊下用鍔板付ナット挿通孔内に下側から挿通された上記吊下用鍔板付ナットの鍔板を受ける左切り起し片及び右切り起し片がそれぞれ形成されている吊り具において、（ｂ）上記吊り具本体の上記左側板部及び右側板部が上記支持具取付用ボルトのねじのピッチよりも厚い板厚を有し、（ｃ）上記左ボルト挿通孔及び右ボルト挿通孔のそれぞれが、第１、第２及び第３の孔部Ｈ１、Ｈ２及びＨ３の順次の配列からなり、（ｄ）上記第１の孔部Ｈ１が、第１の内径φ１と第１の深さＤ１とを有していて円筒内面Ｓ１を形成し、（ｅ）上記第３の孔部Ｈ３が、上記第１の内径φ１よりも小さな第３の内径φ３と上記第１の深さＤ１よりも浅い第３の深さとを有していて円筒内面Ｓ３を形成し、（ｆ）上記第２の孔部Ｈ２が、上記第１の孔部Ｈ１側の第１の内径φ１から上記第３の孔部Ｈ３側の第３の内径φ３まで連続的に変化している第２の内径φ２と上記第１の深さＤ１よりも浅い第２の深さＤ２とを有していて裁頭円錐面Ｓ２を形成し、（ｇ）上記左側板部の上記左ボルト挿通孔の第１の孔部Ｈ３が上記右側板部側であり、上記右側板部の上記右ボルト挿通孔の第１の孔部Ｈ３が上記左側板部側であり、（ｈ）上記左側板部の上記左ボルト挿通孔の上記第２及び第３の孔部Ｈ２及びＨ３を形成している上記裁頭円錐筒内面Ｓ２及び円筒内面Ｓ３側の部が、上記左ボルト挿通孔の上記第１の孔部Ｈ１の円筒内面Ｓ１からみて、上記左ボルト挿通孔の中心軸側に、上記支持具取付用ボルトを係止するための左ボルト係止用突出部として突出し、（ｉ）上記左ボルト挿通孔の上記第２の孔部Ｈ２の第２の深さＤ２、及び上記第３の孔部Ｈ３の第３の内径φ３及び第３の深さＤ３が、上記支持具取付用ボルトの中心軸と上記左ボルト挿通孔の中心軸とが平行である状態で上記支持具取付用ボルトのねじの山の頂きを上記左ボルト挿通孔の上記第１の孔部Ｈ１の円筒内面Ｓ１に当接させている状態で、上記支持具取付用ボルトのねじの相隣る山間に上記左ボルト係止用突出部を配している状態が得られているのに十分な値を有し、（ｊ）上記右側板部の上記右ボルト挿通孔の上記第２及び第３の孔部Ｈ２及びＨ３を形成している上記裁頭円錐筒内面Ｓ２及び円筒内面Ｓ３側の部が、上記右ボルト挿通孔の上記第１の孔部Ｈ１の円筒内面Ｓ１からみて、上記右ボルト挿通孔の中心軸側に、上記支持具取付用ボルトを係止するための右ボルト係止用突出部として突出し、（ｋ）上記右ボルト挿通孔の上記第２の孔部Ｈ２の第２の深さＤ２、及び上記第３の孔部Ｈ３の第３の内径φ３及び第３の深さＤ３が、上記支��具取付用ボルトの中心軸と上記左ボルト挿通孔の中心軸とが平行である状態で上記支持具取付用ボルトのねじの山の頂きを上記右ボルト挿通孔の上記第１の孔部Ｈ１の円筒内面Ｓ１に当接させている状態で、上記支持具取付用ボルトのねじの相隣る山間に上記右ボルト係止用突出部を配している状態が得られているのに十分な値を有する。
【考案の効果】
【００１２】
その吊下用鍔板付ナットのナット本体を固定部から下方に延長している吊下用ボルトの遊端に螺着させることによって、固定部に吊下させた状態にし、その状態で、またはその前に、予め用意されている、吊り具本体の左ボルト挿通孔を有する左側板部及び右ボルト挿通孔を有する右側板部に対応する左ボルト挿通孔を有する左取付板部及び右ボルト挿通孔を有する右取付板部を有する支持具の左取付板部及び右取付板部を吊り具本体の左側板部及び右側板部にそれぞれ左側及び右側から対向させ、支持具の左ボルト挿通孔及び右ボルト挿通孔内に吊り具本体の左側板部の左ボルト挿通孔及び右側板部の右ボルト挿通孔を介して支持具取付用ボルトを挿通し、それにその遊端からナットを螺着させることによって、吊り具に支持具を吊下させた状態にし、よって、支持具を、固定部に、吊下用ボルト、吊り具及び支持具取付用ボルトを介して吊下させた状態にすることができ、そして、そのように支持具を吊下するにあたり、
支持具取付用ボルトを支持具の左ボルト挿通孔及び右ボルト挿通孔内に吊り具の左ボルト挿通孔及び右ボルト挿通孔を介して挿通する際、及び支持具取付用ボルトを支持具の左ボルト挿通孔及び右ボルト挿通孔内に吊り具の左ボルト挿通孔及び右ボルト挿通孔に挿通し、次で、支持具取付用ボルトにナットを螺着する際に、支持具取付用ボルトが不用意に抜け落ちんとするのを有効に回避することができる。
【考案を実施するための最良の形態】
【００１３】
＊＊
【実施例１】
【００１４】
次に、図１及び図２を伴って、本考案による吊り具の実施の形態を述べよう。
図１及び図２において、図６との対応部分には同一符号を付して示す。
図１及び図２に示す本考案による吊り具１は、図６に示す従来の吊り具１の場合と同様に、（ａ）上板部１２と、その左側縁及び右側縁からそれらと一体にそれぞれ下方に互いに近接対向するように延長している左側板部１３Ｌ及び右側板部１３Ｒとを有する吊り具本体１１と、（ｂ）ナット本体１６と、その下端外周上にそれと一体に形成されている鍔板１７とを有する吊下用鍔板付ナット１５とを有し、そして、吊り具本体１１の上板部１２に、その左右方向の中央部において、吊下用鍔板付ナット１５のナット本体１６が下側から挿通される吊下用鍔板付ナット挿通孔１２１が穿設され、また、吊り具本体１１の左側板部１３Ｌ及び右側板部１３Ｒに、それらの近接対向する位置において、図７に示すような頭部３１とねじ部３２とを有する支持具取付用ボルト３のねじ部３２が挿通される左ボルト挿通孔１３２Ｌ及び右ボルト挿通孔１３２Ｒがそれぞれ穿設されているとともに、吊り具本体１１の吊下用鍔板付ナット挿通孔１２１内に下側から挿通された吊下用鍔板付ナット１５の鍔板１７を受ける左切り起し片１３１Ｌ及び右切り起し片１３１Ｒが形成されている。
【００１５】
しかしながら、本考案による吊り具１は、上述した従来の吊り具１の場合と同様の構成において、その吊り具本体１１の左側板部１３Ｌ及び右側板部１３Ｒが図７に示す支持具取付用ボルト３のねじ部３２のピッチＰよりも厚い板厚Ｄを有し、また、吊り具本体１１の左側板部１３Ｌ及び右側版部１３Ｒの左ボルト挿通孔１３２Ｌ及び右ボルト挿通孔１３２Ｒのそれぞれが、とくに、図１Ｄを参照して明らかなように、第１、第２及び第３の孔部Ｈ１、Ｈ２及びＨ３の順次の配列からなる。
この場合、第１の孔部Ｈ１が、第１の内径φ１と第１の深さＤ１とを有していて円筒内面Ｓ１を形成し、また、第３の孔部Ｈ３が、第１の孔部Ｈ１の第１の内径φ１よりも小さな第３の内径φ３と第１の孔部Ｈ１の第１の深さＤ１よりも浅い第３の深さとを有していて円筒内面Ｓ３を形成し、さらに、第２の孔部Ｈ２が、第１の孔部Ｈ１側の第１の内径φ１から第３の孔部Ｈ３側の第３の内径φ３まで連続的に変化している第２の内径φ２と第１の孔部Ｈ１の第１の深さＤ１よりも浅い第２の深さＤ２とを有していて裁頭円錐面Ｓ２を形成している。
【００１６】
また、吊り具本体１１の左側板部１３Ｌの左ボルト挿通孔１３２Ｌの第１の孔部Ｈ３が、右側板部１３Ｒ側であり、右側板部１３Ｒの右ボルト挿通孔１３２Ｒの第１の孔部Ｈ３が左側板部１３Ｌ側である。
【００１７】
さらに、吊り具本体１１の左側板部１３Ｌの左ボルト挿通孔１３２Ｌの第２及び第３の孔部Ｈ２及びＨ３を形成している吊り具本体１１の裁頭円錐筒内面Ｓ２及び円筒内面Ｓ３側の部が、左ボルト挿通孔１３２Ｌの第１の孔部Ｈ１の円筒内面Ｓ１からみて、左ボルト挿通孔１３２Ｌの中心軸側に、支持具取付用ボルト３を係止するための左ボルト係止用突出部１３３Ｌとして突出し、また、左ボルト挿通孔１３２Ｌの第２の孔部Ｈ２の第２の深さＤ２、及び第３の孔部Ｈ３の第３の内径φ３及び第３の深さＤ３が、図２に示すように、支持具取付用ボルト３の中心軸と左ボルト挿通孔１３２Ｌの中心軸とが平行である状態で支持具取付用ボルト３のねじ部３２のねじの山の頂きを左ボルト挿通孔１３２Ｌの第１の孔部Ｈ１の円筒内面Ｓ１に当接させている状態で、支持具取付用ボルト３のねじ部３２のねじの相隣る山間に左ボルト係止用突出部１３３Ｌを配している状態が得られているのに十分な値を有している。
【００１８】
また、吊り具本体１１の右側板部１３Ｒの右ボルト挿通孔１３２Ｒの第２及び第３の孔部Ｈ２及びＨ３を形成している裁頭円錐筒内面Ｓ２及び円筒内面Ｓ３側の部も、吊り具本体１１の左側板部１３Ｌの左ボルト挿通孔１３２Ｌの第２及び第３の孔部Ｈ２及びＨ３を形成している吊り具本体１１の裁頭円錐筒内面Ｓ２及び円筒内面Ｓ３側の部と同様に右ボルト挿通孔１３２Ｒの第１の孔部Ｈ１の円筒内面Ｓ１からみて、右ボルト挿通孔１３２Ｒの中心軸側に、支持具取付用ボルト３を係止するための右ボルト係止用突出部１３３Ｒとして突出し、また、右ボルト挿通孔１３２Ｒの第２の孔部Ｈ２の第２の深さＤ２、及び第３の孔部Ｈ３の第３の内径φ３及び第３の深さＤ３が、支持具取付用ボルトの中心軸と右ボルト挿通孔１３２Ｒの中心軸とが平行である状態で支持具取付用ボルト３のねじ部３２のねじの山の頂きを右ボルト挿通孔１３２Ｒの第１の孔部Ｈ１の円筒内面Ｓ１に当接させている状態で、支持具取付用ボルト３のねじ部３２のねじの相隣る山間に右ボルト係止用突出部１３３Ｒを配している状態が得られているのに十分な値を有する。
【００１９】
以上が、本考案による吊り具の実施例の構成である。
このような構成を有する本考案による吊り具１の実施の形態によれば、従来の吊り具１の場合で述べたと同様に、吊り具１の吊下用鍔板付きナット２５のナット本体２６を、図４に示すように、固定部Ｇから下方に延長している吊下用ボルトＨの遊端に螺着させれば、吊り具本体１１が、その上板部１２をその吊下用鍔板付きナット挿通孔１２１のまわりにおいて吊下用鍔板付きナット１５の鍔板１７に受けさせた状態で、吊下用鍔板付きナット１５及び吊下用ボルトＨを介して、固定部Ｇに吊下されている状態になる。
【００２０】
また、そのような状態から、またはその前に、従来の吊り具１の場合で述べたと同様に、図８に示す支持具２の左半環部２２Ｌ及び右半環部２２Ｒを、断面円形の環が点線図示の配管本体ａとその外被ｂとからなる配管Ｋを支持している状態で形成されるように且つそれによって支持具２の左半環部２２Ｌ及び右半環部２２Ｒからそれぞれ延長している左取付板部２４Ｌ及び右取付板部２４Ｒが対向するように、回動し、その状態で、支持具２を、その左半環部２２Ｌ及び右半環部２２Ｒからそれぞれ延長している左取付板部２４Ｌ及び右取付板部２４Ｒが吊り具１の吊り具本体１１の左側板部１３Ｌ及び右側板部１３Ｒを挟むように且つ左取付板部２４Ｌ及び右側取付板部２４Ｒにそれぞれ穿設している左ボルト挿通孔２６Ｌ及び右ボルト挿通孔２６Ｒが吊り具１の吊り具本体１１の左側板部１３Ｌ及び右側板部１３Ｒにそれぞれ穿設している左ボルト挿通孔１３２Ｌ及び右ボルト挿通孔１３２Ｒと一致するように、位置決めし、その状態で、図７に示す支持具取付用ボルト３のねじ部３２を、支持具２の左取付板部１４Ｌ及び右取付板部１４Ｒの左ボルト挿通孔１６Ｌ及び右ボルト挿通孔１６Ｒに、吊り具１の吊り具本体１１の左側板部１３Ｌ及び右側板部１３Ｒの左ボルト挿通孔１３２Ｌ及び右ボルト挿通孔１３２Ｒを介して挿通させる。
【００２１】
次で、そのように、支持具２の左取付板部２４Ｌ及び右取付板部２４Ｒの左ボルト挿通孔１６Ｌ及び右ボルト挿通孔１６Ｒに吊り具１の吊り具本体１１の左側板部１３Ｌ及び右側板部１３Ｒの左ボルト挿通孔１３２Ｌ及び右ボルト挿通孔１３２Ｒを介して挿通させた支持具取付用ボルト３のねじ部３２に、従来の吊り具の場合で述べたと同様に、その遊端から、図７に示すナット４を螺着し、そのナット４を回動することによって、支持具取付用ボルト３の頭部３１とナット４との間に、支持具２の左取付板部２４Ｌ及び右取付板部２４Ｒを、吊り具１の吊り具本体１１の左側板部１３Ｌ及び右側板部１３Ｒとともに締め付ける。
しかるときは、配管Ｋを支持している支持具２を、固定部Ｇに、支持具取付用ボルト３、吊り具１及び吊下用ボルトＨを介して、吊下させることができる。
【００２２】
以上のことから、図１及び図２に示す本考案による吊り具１によれば、図６に示す従来の吊り具１の場合と同様に、吊り具１を、固定部Ｇから下方に延長している吊下用ボルトＨの遊端に吊下させ、次にまたはその前に、その吊り具１に、配管Ｋを支持している支持具２を、支持具取付用ボルト３を介して吊下させることができ、従って、配管Ｋを支持している支持具２を、固定部Ｇに吊下させることができる。
【００２３】
ところで、図１及び図２に示す本考案による吊り具１を用いて、上述したようにして、配管Ｋを支持している支持具２を固定部Ｇに吊下させるにあたり、支持具取付用ボルト３のねじ部３２を、支持具２の左取付板部２４Ｌ及び右取付板部２４Ｒの左ボルト挿通孔２６Ｌ及び右ボルト挿通孔２６Ｒに、吊り具１の吊り具本体１１の左側板部１３Ｌ及び右側板部１４Ｒの左ボルト挿通孔１３２Ｌ及び右ボルト挿通孔１３２Ｒを介して挿通させる際、及び支持具取付用ボルト３のねじ部３２を、支持具２の左取付板部２４Ｌ及び右取付板部２４Ｒの左ボルト挿通孔２６Ｌ及び右ボルト挿通孔２６Ｒに、吊り具１の吊り具本体１１の左側板部１３Ｌ及び右側板部１３Ｒの左ボルト挿通孔１３２Ｌ及び右ボルト挿通孔１３２Ｒを介して挿通し、次で、その支持具取付用ボルト３のねじ部３２に、その遊端から、ナット４を螺着する際に、支持具取付用ボルト３が、支持具２の左取付板部２４Ｌ及び右取付板部２４Ｒの左ボルト挿通孔２６Ｌ及び右ボルト挿通孔２６Ｒに吊り具１の吊り具本体１１の左側板部１３Ｌ及び右側板部１３Ｒの左ボルト挿通孔１３２Ｌ及び右ボルト挿通孔１３２Ｒを介して挿通されている状態からでも、従来の吊り具１の場合で図１０を伴って述べたと同様に、頭部３１を下にして不用意に抜け落ちんとする場合がある。
【００２４】
しかしながら、この場合、（ａ）吊り具１の左側板部１３Ｌの第２及び第３の孔部Ｈ２及びＨ３を形成している裁頭円錐筒内面Ｓ２及び円筒内面Ｓ３側の部が、左ボルト挿通孔１３２Ｌの第１の孔部Ｈ１の円筒内面Ｓ１からみて、左ボルト挿通孔１３２Ｌの中心軸側に、左ボルト係止用突出部１３３Ｌとして突出し、また、左ボルト挿通孔１３２Ｌの第２の孔部Ｈ２の第２の深さＤ２、及び第３の孔部Ｈ３の第３の内径φ３及び第３の深さＤ３が、支持具取付用ボルト３の中心軸と左ボルト挿通孔１３２Ｌの中心軸とが平行である状態で支持具取付用ボルト３のねじの山の頂きを左ボルト挿通孔１３２Ｌの第１の孔部Ｈ１の円筒内面Ｓ１に当接させている状態で、支持具取付用ボルト３のねじの相隣る山間に左ボルト係止用突出部１３３Ｌを配している状態が得られているのに十分な値を有し、さらに、（ｂ）吊り具１の右側板部１３Ｒの第２及び第３の孔部Ｈ２及びＨ３を形成している裁頭円錐筒内面Ｓ２及び円筒内面Ｓ３側の部が、右ボルト挿通孔１３２Ｒの第１の孔部Ｈ１の円筒内面Ｓ１からみて、右ボルト挿通孔１３２Ｒの中心軸側に、右ボルト係止用突出部１３３Ｒとして突出し、右ボルト挿通孔１３２Ｒの第２の孔部Ｈ２の第２の深さＤ２、及び第３の孔部Ｈ３の第３の内径φ３及び第３の深さＤ３が、支持具取付用ボルト３の中心軸と右左ボルト挿通孔１３２Ｒの中心軸とが平行である状態で支持具取付用ボルト３のねじの山の頂きを右ボルト挿通孔１３２Ｒの第１の孔部Ｈ１の円筒内面Ｓ１に当接させている状態で、支持具取付用ボルト３のねじの相隣る山間に右ボルト係止用突出部１３３Ｒを配している状態が得られているのに十分な値を有し、（ｃ）そして、それら左ボルト係止用突出部１３３Ｌ及び右ボルト係止用突出部１３３Ｒのいずれか一方または双方に、支持具取付用ボルト３のねじ部３２のねじが、図３に示すように係合するので、支持具取付用ボルト３が、不用意に抜け落ちんとするのを、有効に阻止する。
【００２５】
このため、図１及び図２に示す本考案による吊り具１の場合、それを用いて支持具取付用ボルト３のねじ部３２を、支持具２の左取付板部２４Ｌ及び右取付板部２４Ｒの左ボルト挿通孔１６Ｌ及び右ボルト挿通孔１６Ｒに、吊り具１の吊り具本体１１の左側板部１３Ｌ及び右側板部１３Ｒの左ボルト挿通孔１３２Ｌ及び右ボルト挿通孔１３２Ｒを介して挿通する際、及び支持具取付用ボルト３のねじ部３２を、支持具２の左取付板部２４Ｌ及び右取付板部２４Ｒの左ボルト挿通孔２６Ｌ及び右ボルト挿通孔２６Ｒに、吊り具１の左側板部１３Ｌ及び右側板部１３Ｒの左ボルト挿通孔１３２Ｌ及び右ボルト挿通孔１３２Ｒを介して挿通し、次で、その支持具取付用ボルト３のねじ部３２に、その遊端から、ナット４を螺着する際に、支持具取付用ボルト３を支持具２の左取付板部２４Ｌ及び右取付板部２４Ｒの左ボルト挿通孔２６Ｌ及び右ボルト挿通孔２６Ｒに吊り具１の吊り具本体１１の左側板部１３Ｌ及び右側板部１３Ｒの左ボルト挿通孔１３２Ｌ及び右ボルト挿通孔１３２Ｒを介して挿通されている状態からでも不用意に抜け落ちさせる、というおそれを有効に回避することができる。
【００２６】
また、図１及び図２に示す本考案による吊り具１の場合、吊り具１の吊り具本体１１の左側板部１３Ｌの左ボルト挿通孔１３２Ｌの第２の孔部Ｈ２の第２の深さＤ２、及び第３の孔部Ｈ３の第３の内径φ３及び第３の深さＤ３が、支持具取付用ボルト３の中心軸と左ボルト挿通孔１３２Ｌの中心軸とが平行である状態で支持具取付用ボルト３のねじの山の頂きを左ボルト挿通孔１３２Ｌの第１の孔部Ｈ１の円筒内面Ｓ１に当接させている状態で、支持具取付用ボルト３のねじの相隣る山間に左ボルト係止用突出部１３３Ｌを配している状態が得られているのに十分な値を有し、
また、吊り具１の吊り具本体１１の右側板部１３Ｒの右ボルト挿通孔１３２Ｒの第２の孔部Ｈ２の第２の深さＤ２、及び第３の孔部Ｈ３の第３の内径φ３及び第３の深さＤ３が、支持具取付用ボルト３の中心軸と右ボルト挿通孔１３２Ｒの中心軸とが平行である状態で支持具取付用ボルト３のねじの山の頂きを右ボルト挿通孔１３２Ｒの第１の孔部Ｈ１の円筒内面Ｓ１に当接させている状態で、支持具取付用ボルト３のねじの相隣る山間に右ボルト係止用突出部１３３Ｒを配している状態が得られているのに十分な値を有しているので、上述したようにして、配管Ｋを支持している支持具２を、固定部Ｇに、支持具取付用ボルト３、吊り具１及び吊下用ボルトＨを介して、吊下させている状態において、左ボルト挿通孔１３２Ｌ及び右ボルト挿通孔１３２Ｒの第１の孔部Ｈ１の円筒内面Ｓ１が支持具取付用ボルト３の山の頂きに接触して、支持具取付用ボルト３にかかっている支持具２を吊下している荷重を受けるとしても、左ボルト係止用突出部１３３Ｌ及び右ボルト係止用突出部１３３Ｒが支持具取付用ボルト３にかかっている支持具２を吊下している荷重を受けず、よって、それら左ボルト係止用突出部１３３Ｌ及び右ボルト係止用突出部１３３Ｒをつぶすおそれを有しない。
なお、上述においては、本考案による吊り具が配管Ｋを支持している支持具２を吊下するとして述べたが、他の任意の支持具を吊下することもでき、その他、本考案の精神を脱することなしに種々の変型、変更をなし得るであろう。
【図面の簡単な説明】
【００２７】
【図１】本考案による吊り具の実施の形態を示す正面図（図１Ａ）、その左側面図（図１Ｂ）、図１ＢのＡ−Ａ′線上の断面図（図１Ｃ）及びその一部の拡大図（図１Ｄ）である。
【図２】本考案による吊り具の実施の形態における一部の拡大断面図である。
【図３】本考案による吊り具の実施の形態を用いて、固定部に支持具を吊下するにあたり、用いる支持具取付用ボルトが抜け落ちんとするのが回避できることを示す図である。
【図４】本考案による吊り具の実施の形態を用いて、固定部に支持具を吊下している状態を示す一部断面正面図である。
【図５】本考案による吊り具を示す正面図（図５Ａ）、その左側面図（図５Ｂ）及び図５ＢのＡ−Ａ′線上の断面図（図５Ｃ）である。
【図６】従来の吊り具及び本考案による吊り具の実施の形態を各別に用いて、固定部に支持具を吊下するのに用いるボルトを示す正面図（図６Ａ）、及びその左側面図（図６Ｂ）、及び同ナットを示す正面図（図６Ｃ）及びその右側面図（図６Ｄ）である。
【図７】従来の吊り具及び本考案による吊り具の実施の形態を各別に用いて、固定部に吊下される支持具を示す正面図（図７Ａ）、その右側面図（図７Ｂ）及び図７ＢのＡ−Ａ′線上の断面図（図７Ｃ）である。
【図８】従来の吊り具及び本考案による吊り具の実施の形態を各別に用いて、固定部に支持具を吊下している状態を示す正面図である。
【図９】従来の吊り具及び本考案による吊り具の実施の形態を各別に用いて、固定部に支持具を吊下するにあたり、用いる支持具取付用ボルトが抜け落ちんとする状態を示す図である。
【符号の説明】
【００２８】
１            吊り具
２            支持具
３            支持具取付用ボルト
３１          頭部
３２          ねじ部
１１          吊り具本体
１２          上板部
１２１        吊下用鍔板付ナット挿通孔
１３Ｌ        左側板部
１３Ｒ        右側板部
１３１Ｌ      左切り起し片
１３１Ｒ      右切り起し片
１３２Ｌ      左ボルト挿通孔
１３２Ｒ      右ボルト挿通孔
１３Ｒ        右側板部
１５          吊下用鍔板付ナット
１６          ナット本体
１７          鍔板
２１          螺番機構
２２Ｌ        左半環部
２２Ｒ        右半環部
２４Ｌ        左取付板部
２４Ｒ        右取付板部
２６Ｌ        左ボルト挿通孔
２６Ｒ        右ボルト挿通孔
Ｇ        固定部
Ｈ        吊下用ボルト
【図１】
0003102249.tif 000003
【図２】
0003102249.tif 000004
【図３】
0003102249.tif 000005
【図４】
0003102249.tif 000006
【図５】
0003102249.tif 000007
【図６】
0003102249.tif 000008
【図７】
0003102249.tif 000009
【図８】
0003102249.tif 000010
【図９】
0003102249.tif 000011